(57)【要約】【課題】  特にテープユニットに装着することにより、テープユニットの緩みを防止すると共に、テープユニットを簡単に詰め替える固定ケースを提供する。【解決手段】  前端に結合部が設けられ、該結合部に少なくとも１つのアームが後側に向かって延設され、該アームが結合部を支点として弾性変形可能なフレームと、前記アームにおける、結合部と反対する側に設けられ、該アームの内側面に少なくとも１つの係合リブが横方向に凸設される係合部とを有するテープユニットの固定ケースを提供する。【選択図】  図１
2013166372.tif 000002
【特許請求の範囲】
【請求項１】
前端に結合部が設けられ、該結合部に少なくとも１つのアームが後側に向かって延設され、該アームが結合部を支点として弾性変形可能なフレームと、
前記アームにおける、結合部と反対する側に設けられ、該アームの内側面に少なくとも１つの係合リブが横方向に凸設される係合部とを有することを特徴とするテープユニットの固定ケース。
【請求項２】
前記フレームの結合部の両側に、開閉動作が可能な２つのアームが延設されることを特徴とする請求項１に記載のテープユニットの固定ケース。
【請求項３】
前記各アームにおける、結合部と反対する端に自由端が設けられ、
前記少なくとも１つの係合リブつがそれぞれアームの自由端近傍の内側面に横方向に凸設されることを特徴とする請求項２に記載のテープユニットの固定ケース。
【請求項４】
前記フレームの結合部の上面に制限プレートが横方向に設けられることを特徴とする請求項２又は３に記載のテープユニットの固定ケース。
【請求項５】
前記２つのアームにおける、結合部の近傍の両側外側面にそれぞれ間隔をおいて縦方向に複数の滑り止め凸部が設けられることを特徴とする請求項２乃至４の何れか1項に記載のテープユニットの固定ケース。
【請求項６】
前記結合部の底面にアームの中間に向かって蓋板が延設され、該蓋板の内面に制限プレートの方向に向かって２本の支持リブが間隔をおいて凸設されることを特徴とする請求項５に記載のテープユニットの固定ケース。
【請求項７】
前記２つのアーム１１の内側面と蓋板との間にそれぞれ当接板が設けられ、該当接板と蓋板との間に段差が形成されることを特徴とする請求項６に記載のテープユニットの固定ケース。
【請求項８】
前記各アームの内側面における、係合部の近傍に溝部が縦方向に凹設されることを特徴とする請求項７に記載のテープユニットの固定ケース。
【請求項９】
前記各アームの内側面における、係合部の近傍に溝部が縦方向に凹設されることを特徴とする請求項１に記載のテープユニットの固定ケース。
【請求項１０】
前記少なくとも１つのアームにおける、結合部の近傍の外側面に間隔をおいて縦方向に複数の滑り止め凸部が設けられることを特徴とする請求項１に記載のテープユニットの固定ケース。
【請求項１１】
前記結合部の底面にアームの中間に向かって蓋板が延設されることを特徴とする請求項１乃至３の何れか１項に記載のテープユニットの固定ケース。
【請求項１２】
前記蓋板の内面に制限プレートの方向に向かって２本の支持リブが間隔をおいて凸設されることを特徴とする請求項１１に記載のテープユニットの固定ケース。
【請求項１３】
前記各係合リブは、結合端及び係合端を備え、該結合端は、アームの内側面に結合されると共に、該係合端は、フレームの内側に向かって延出するように設けられることを特徴とする請求項１に記載のテープユニットの固定ケース。
【請求項１４】
前記各係合リブは、結合端及び係合端を備え、該結合端は、アームの内側面に結合されると共に、該係合端は、フレームの内側に向かって延出するように設けられることを特徴とする請求項３に記載のテープユニットの固定ケース。
【請求項１５】
前記係合リブは、結合端から内側且つ斜め上方に向かって延出し、その末端に前記係合端が設けられると共に、該係合端の端部が面取りされていることを特徴とする請求項１３または１４に記載のテープユニットの固定ケース。
【請求項１６】
前記各アームの制限プレート側に位置決めタブが凸設されることを特徴とする請求項４に記載のテープユニットの固定ケース。
【請求項１７】
前記フレームが金属やプラスチック、ゴム、板紙などからなり、弾性を有する弾性フレームであることを特徴とする請求項１に記載のテープユニットの固定ケース。
【請求項１８】
前記フレームがＶ字形を呈することを特徴とする請求項１又は２又は１７に記載のテープユニットの固定ケース。
【請求項１９】
前記位置決めタブがＬ字形を呈することを特徴とする請求項１６に記載のテープユニットの固定ケース。
【発明の詳細な説明】
【技術分野】
【０００１】
本発明はフィルム転写器に使用するものであり、特にテープユニットに装着すると、テープユニットの緩みを防止すると共に、テープユニットを簡単に詰め替えるための固定ケースに関するものである
【背景技術】
【０００２】
一般的な修正テープは、書類などの誤記や誤植箇所の上からテープを転写することにより、その誤記や誤植を修正できるようにするものである。図１５に示すように、既存のフィルム転写器は、ケースと、該ケースの内部に設置されるテープユニット７０とを有し、その内、該テープユニット７０は、本体７１を有し、該本体７１の一端に転写ヘッド７２が設けられると共に、他端に互いに連動するテープリール７３１及び回収リール７３２を備えるリール部材７３が取り付けられ、テープ７４が本体７１に通されてリール部材７３に巻回される。
【０００３】
しかしながら、前記既存のフイルム転写器は、テープユニット７０をケースに装着する前に、そのテープ７４の緩みや、使用者がテープ７４に触れることによりフィルムが剥がれ落ちることを防ぐために、製造または装着の時に、テープユニット７０の外部に紙製の固定部材８０が被覆され、その固定部材８０は、テープリール７３１が回転しないように固定できることから、テープ７４の緩みを防止できると共に、テープ７４の両側をカバーできるので、フィルムが剥がれ落ちることはない。
【発明の概要】
【発明が解決しようとする課題】
【０００４】
上述したように、前記既存のテープユニットは、固定板紙を有することから、テープリールを固定して回転を止めるので、テープユニットの製品を搬送してもテープが緩まないという効果を有するが、テープユニットを交換する場合、固定板紙を取り外さなければテープユニットをケースに装着することができない。しかし、その固定部材をテープユニットから取り外すと、固定部材とテープリールとの固定関係が解消され、テープリールが自由に回転し、テープが緩まる可能性があり、また、使用者がテープユニットを装着する時は、手がテープに接触し、テープが剥がれる虞もあるので、装着上、非常に不便であった。さらに、テープユニットを製造する時は、外部に固定板紙を被覆しなければならないことから、製造時間や製造コストがかかるので、改良する必要があった。
【課題を解決するための手段】
【０００５】
本発明に係るテープユニットの固定ケースは、前端に結合部が設けられ、該結合部に少なくとも１つのアームが後側に向かって延設され、該アームが結合部を支点として弾性変形可能なフレームと、
前記アームにおける、結合部と反対する側に設けられ、該アームの内側面に少なくとも１つの係合リブが横方向に凸設される係合部とを有する。
【０００６】
前記フレームの結合部の両側に、開閉可能な２つのアームが延設されることが好ましい。
【０００７】
前記各アームにおける、結合部と反対する端に自由端が設けられ、
前記少なくとも１つの係合リブつがそれぞれアームの自由端近傍の内側面に横方向に凸設されることが好ましい。
【０００８】
前記フレームの結合部の上面に制限プレートが横方向に設けられてもよい。
【０００９】
前記２つのアームにおける、結合部の近傍の両側外側面にそれぞれ間隔をおいて縦方向に複数の滑り止め凸部が設けられてもよい。
【００１０】
前記結合部の底面にアームの中間に向かって蓋板が延設され、該蓋板の内面に制限プレートの方向に向かって２本の支持リブが間隔をおいて凸設されても構わない。
【００１１】
前記２つのアームの内側面と蓋板との間にそれぞれ当接板が設けられ、該当接板と蓋板との間に段差が形成されてもよい。
【００１２】
前記各アームの内側面における、係合部の近傍に溝部が縦方向に凹設されてもよい。
【００１３】
前記少なくとも１つのアームにおける、結合部の近傍の外側面に間隔をおいて縦方向に複数の滑り止め凸部が設けられることが好ましい。
【００１４】
前記結合部の底面にアームの中間に向かって蓋板が延設されてもよい。
【００１５】
前記蓋板の内面に制限プレートの方向に向かって２本の支持リブが間隔をおいて凸設されてもい。
【００１６】
前記各係合リブは、結合端及び係合端を備え、該結合端は、アームの内側面に結合されると共に、該係合端は、フレームの内側に向かって延出するように設けられることが好ましい。
【００１７】
前記係合リブは、結合端から内側且つ斜め上方に向かって延出し、その末端に前記係合端が設けられると共に、該係合端の端部が面取りされていることが好ましい。
【００１８】
前記各アームの制限プレート側に位置決めタブが凸設されてもよい。
【００１９】
前記フレームが金属やプラスチック、ゴム、板紙などからなり、弾性を有する弾性フレームであってもよい。
【００２０】
前記フレームがＶ字形を呈しても構わない。
【００２１】
前記位置決めタブがＬ字形を呈しても構わない。
【発明の効果】
【００２２】
本発明に係るテープユニットの固定ケースは、弾性を有する変形可能なアームを備え、該アームの末端内側面に係合部が凸設される構造を有することから、そのアームの弾性により、係合部を介してテープリールに当接するように挟持されるので、テープリールの回転を止めてテープの緩みを防止することができる。
【００２３】
一方、フィルム転写器に新たなテープユニットを装着する時は、本発明の固定ケースにより、テープを緩めないようにテープユニットを保持しながら行い、その後、テープユニットから固定ケースを取り外せばよい。
【００２４】
本発明に係るテープユニットの固定ケースは、既存の技術に比べると、固定板紙を取り外さなければテープユニットをケースに装着することができないという問題がなく、使用者が不注意でテープに触れることによりフィルムが剥がれるといった状況も防ぐことができるので、より実用性に優れたテープユニットの固定ケースを提供することができる。
【図面の簡単な説明】
【００２５】
【図１】本発明に係るテープユニットの固定ケースにおける第一実施例の斜視図である。
【図２】本発明に係るテープユニットの固定ケースにおける第一実施例において、テープユニットを装着する操作方法を示す平面図である。
【図３】図２の部分断面図である。
【図４】本発明に係るテープユニットの固定ケースにおける第一実施例において、テープユニットを装着した状態を示す平面図である。
【図５】本発明に係るテープユニットの固定ケースにおける第一実施例において、テープユニットを装着した状態を示す部分側面図である。
【図６】図４に示す６-６断面図である。
【図７】図４に示す７-７断面図である。
【図８】本発明に係るテープユニットの固定ケースにおける第一実施例において、テープユニットを装着した状態を示す斜視図である。
【図９】本発明に係るテープユニットの固定ケースにおける第一実施例において、テープユニットを転写器ケースに装着した状態を示す斜視図である。
【図１０】本発明に係るテープユニットの固定ケースにおける第一実施例において、固定ケースをテープユニットから取り外す操作方法を示す斜視図である。
【図１１】本発明に係るテープユニットの固定ケースにおける第二実施例の斜視図である。
【図１２】本発明に係るテープユニットの固定ケースにおける第二実施例にテープユニットを装着する操作方法を示す平面図である。
【図１３】本発明に係るテープユニットの固定ケースにおける第二実施例にテープユニットを装着した状態を示す平面図である。
【図１４】本発明に係るテープユニットの固定ケースにおける第二実施例において、テープユニットを装着した状態を示す斜視図である。
【図１５】既存のフィルム転写器におけるテープユニットを固定板紙に装着する状態を示す分解斜視図である。
【発明を実施するための形態】
【００２６】
以下、添付図面を参照して本発明の適切な実施の形態を詳細に説明する。
【００２７】
図１に示すように、本発明に係るテープユニットの固定ケースにおける第一実施例は、フレーム１０及び係合部２０を有し、その内、該フレーム１０は、金属やプラスチック、ゴム、板紙などからなり、弾性を有し、Ｖ字形を呈するものであり、前端に結合部１８が設けられ、該結合部１８に少なくとも１つの、結合部１８を支点として弾性変形可能なアーム１１が後側に向かって延設される。
【００２８】
なお、本発明の好適な第一実施例においては、前記フレーム１０の結合部１８の上面に半円状の制限プレート１２が横方向に設けられ、フレーム１０の結合部１８の両側にそれぞれアーム１１が延設され、該各アーム１１における結合部１８と反対する端に結合部１８を支点として弾性変形可能な自由端が設けられる。このように、その２本のアーム１１は、弾性を有することから、開閉動作が可能である。
【００２９】
また、前記アーム１１における、結合部１８の近傍の両側外側面にそれぞれ間隔をおいて縦方向に複数の滑り止め凸部１３が設けられると共に、前記結合部１８の底面にアーム１１の中間に向かって蓋板１４が延設され、該蓋板１４の内面に制限プレート１２の方向に向かって２本の支持リブ１４１が間隔をおいて凸設され、該アーム１１の内側面と蓋板１４との間に当接板１５が設けられ、該当接板１５は、蓋板１４より高く位置することにより、蓋板１４との間に段差が設けられ、更に、該アーム１１の内側面における、結合部１８と反対する端に溝部１６が縦方向に凹設され、該溝部１６により、アーム１１の自由端がフレーム１０の内側方向又は外側方向に向かって弾性変形が可能となる。
【００３０】
前記係合部２０は、アーム１１における、結合部１８と反対する側に設けられ、該アーム１１の内側面に少なくとも１つの係合リブ２１が横方向に凸設される。また、本発明に係る好適な第一実施例における係合部２０は、２つのアーム１１の自由端近傍の相対する内側面にそれぞれ少なくとも１つの係合リブ２１が横方向に凸設され、該各係合リブ２１は、結合端２１１及び係合端２１２を備える。尚、本実施例における係合部２０は、前記２つのアーム１１の内側面にそれぞれ２つの係合リブ２１が間隔をおいて設けられ、該各係合リブ２１における結合端２１１がアーム１１の内側面に結合されると共に、係合端２１２がフレーム１０の内側に向かって延出し、該各係合リブ２１における結合端２１１の厚さが係合端２１２の厚さより厚いことが好ましい。
【００３１】
図３に示すように、前記係合リブ２１は、結合端２１１から内側且つ斜め上方に向かって延出し、その末端に係合端２１２が設けられると共に、該係合端２１２の端部が面取りされている。
【００３２】
図４に示すように、本発明の第一実施例において、テープユニット４０を固定ケースに装着する方法を説明する。その前に、先ずテープユニット４０の構造について簡単に説明する。該テープユニット４０は、本体４１と、転写ヘッド４２と、リール部材４３と、テープ４４とを有し、該リール部材４３は、テープリール４３１及び回収リール４３２を備える。尚、これらの構成は既存の技術であるので、詳細な説明は省略する。
【００３３】
図２乃至図４に示すように、本発明の第一実施例において、テープユニット４０を固定ケースに装着する時は、フレーム１０のアーム１１をテープユニット４０のリール部材４３に接近するように移動させ、本体４１を各支持リブ１４１と接触させながらテープユニット４０を蓋板１４に沿って移動させ（図５の如く）、転写ヘッド４２を制限プレート１２の下側に位置させると（図７の如く）、テープユニット４０のフレーム１０への装着が完了する。
【００３４】
また、本発明の第一実施例においては、前記蓋板１４の当接板１５及び支持リブ１４１が本体４１に接触して支えることから、テープユニット４０を安定的に保持することができる。更に、前記２つのアーム１１は、弾性により自由端がテープリール４３１の両側と対応するように変形してテープリール４３１に接近し、アーム１１の内側の係合リブ２１の係合端２１２が本体４１とテープリール４３１との間の隙間に係合され（図６の如く）、その隙間の幅は、係合端２１２の厚さから結合端２１１の厚さの間であることから、係合リブ２１の係合端２１２を隙間に挿入してテープリール４３１と当接させることができ、また、係合端２１２の厚さが結合端２１１の厚さより厚く設けられていることから、係合リブ２１の隙間への入り込みにより、テープリール４３１の回転を止めるための係合効果がさらに向上するので、テープ４４の緩みを確実に防止できる。
【００３５】
その上、前記２つのアーム１１にそれぞれ溝部１６が凹設されることから、該アーム１１の弾性変形範囲が広がり、該アーム１１のテープユニット４０への衝突を防止するので、本発明に係るテープユニットの固定ケースを簡単にテープユニット４０に装着することができる。また、図３に示すように、係合リブ２１の係合端２１２がアーム１１の内側面から斜め上方に向かって延出すると共に、係合端２１２の端部が面取りされていることから、係合リブ２１をスムーズに本体４１とテープリール４３１との間の隙間に挿入させることができる。尚、テープユニット４０を本第一実施例の固定ケースに装着すると、図８に示すような詰め替え用のテープユニットが完成する。
【００３６】
図１１に示すように、本発明に係るテープユニットの固定ケースの第二実施例は、フレーム１０Ａ及び係合部２０Ａを有し、その内、該フレーム１０Ａは、Ｖ字形を呈するものであり、金属やプラスチック、ゴム、板紙などからなり、弾性を有し、前端に結合部１８Ａが設けられ、該結合部１８Ａに少なくとも１つのアーム１１Ａが後側に向かって延設され、該アーム１１Ａが結合部１８Ａに対して弾性変形可能である。
【００３７】
また、本発明の好適な第二実施例においては、フレーム１０Ａの結合部１８Ａの両側にそれぞれ、弾性を有し、互いに接近したり、離れたりするアーム１１Ａが延設され、該各アーム１１Ａにおける結合部１８Ａと反対する端に弾性変形可能な自由端が設けられ、該フレーム１０Ａの結合部１８Ａの上面に半円状の制限プレート１２Ａが設けられ、該２つのアーム１１Ａの上縁部の相対位置にそれぞれ、Ｌ字形の位置決めタブ１７Ａが延設される。
【００３８】
前記係合部２０Ａは、アーム１１Ａにおける結合部１８Ａと反対する側に設けられ、該アーム１１Ａの内側面に延設される少なくとも１つの係合リブ２１Ａを有する。一方、本発明に係る好適な第二実施例におおける係合部２０Ａは、２つのアーム１１Ａの自由端近傍の内側面の相対位置にそれぞれ少なくとも１つ凸設される係合リブ２１Ａを有し、該各係合リブ２１Ａは、結合端２１１Ａ及び係合端２１２Ａを備え、該結合端２１１Ａはアーム１１Ａの内側面に結合されると共に、係合端２１２Ａはフレーム１０Ａの内側に向かって延出するように設けられる。
【００３９】
図１２に示すように、本発明の第二実施例の固定ケースにテープユニット４０Ａを装着する時は、フレーム１０Ａのアーム１１Ａを外側へ広げてテープユニット４０のリール部材４３に向かって接近するように移動させ、転写ヘッド４２を制限プレート１２Ａの下方に位置するように（図１４の如く）嵌め込めば、テープユニット４０をフレーム１０Ａに装着することができる。この構造によれば、前記アーム１１Ａの位置決めタブ１７Ａが本体４１と接触して支持するので、テープユニット４０を安定的に位置決めすることができる。
【００４０】
また、前記２つのアーム１１Ａにおける自由端がテープリール４３１の両側に位置する時、弾性（変形しても元の位置に復位する）により自由端が変形しながらテープリール４３１に接近する。更に、係合リブ２１Ａの係合端２１２Ａがアーム１１Ａの内側面から斜め上方に向かって延出すると共に、係合端２１２Ａの端部が面取りされていることから、該係合リブ２１Ａをスムーズに本体４１とテープリール４３１との間の隙間に嵌め込むことができる。即ち、前記係合リブ２１Ａの係合端２１２Ａが本体４１とテープリール４３１との間の隙間に入り込むことから、テープリール４３１と当接して挟持することができるので、テープリール４３１の回転を止めて、テープ４４の緩みを防ぐことができる。
【００４１】
前述においては、第一実施例及び第二実施例の詳細な構造及び装着方法を説明したので、以下においては、組み合わせた固定ケース及びテープユニット４０をフィルム転写器に装着する方法を説明する。
【００４２】
図９及び図１０に示すように、本発明に係るテープユニットの固定ケースの第一実施例においては、使用者がフレーム１０のアーム１１を持ってテープユニット４０を転写器ケース５０に差し込み（テープユニット４０と転写器ケース５０との組み合わせ構造は既存の技術であるので、その説明は省略する）、その後、２つのアーム１１の滑り止め凸部１３を握ってテープフレーム１０を手前へ引き出すと、係合リブ２１を本体４１及びテープリール４３１から脱出して分離することができる。
【００４３】
一方、本発明に係るテープユニットの固定ケースの第二実施例においては、使用者がフレーム１０Ａのアーム１１Ａを持ってテープユニット４０を転写器ケース５０に差し込み、その後、２つのアーム１１Ａの外側面を握って弾性変形によりテープフレーム１０Ａを手前へ引き出すと、係合リブ２１Ａの係合端２１２Ａを本体４１及びテープリール４３１から離脱させることができる。
【００４４】
上述したように、本発明に係るテープユニットの固定ケースは主に、フレーム１０、１０Ａが弾性変形可能なアーム１１、１１Ａを備えることにより、アーム１１、１１Ａの係合リブ２１、２１Ａは、テープユニット４０のテープリール４３１に当設して係合されることから、テープリール４３１の回転を停止させてテープ４４を緩まりを防ぐので、テープ４４を使用する時の欠点を解消することができる。
【００４５】
また、この構成によれば、フィルム転写器のテープ４４を詰め替える時、固定ケースを取り外さなくてもテープユニット４０を簡単に転写器ケース５０に装着することができるので、既存の固定板紙８０を取り外さなければテープユニット７０を転写器ケース５０に装着することができないという問題点を解決できると共に、テープ４４に接触して剥がれる虞もない。
【００４６】
上述した内容は、本発明の好適な実施の形態を示したものにすぎず、本発明の技術的範囲は、上記実施例そのものに何ら限定されるものではない。
【産業上の利用可能性】
【００４７】
上述したように、本発明に係るテープユニットの固定ケースは、上記の構成を有することから、新たなテープユニットを転写器ケースに詰め替える時、わざわざ固定ケースを取り外さなくてもテープユニットを簡単に転写器ケースに装着することができると共に、直接テープに触れることがないことから、フィルムの剥がれを防ぐこともできるので、実用性に優れ、時間やコストも節約することができる。
【符号の説明】
【００４８】
１０      フレーム
１０Ａ    フレーム
１１      アーム
１１Ａ    アーム
１２      制限プレート
１２Ａ    制限プレート
１３      滑り止め凸部
１４      蓋板
１４１    支持リブ
１５      当接板
１６      溝部
１７Ａ    位置決めタブ
１８      結合部
１８Ａ    結合部
２０      係合部
２０Ａ    係合部
２１      係合リブ
２１Ａ    係合リブ
２１１    結合端
２１１Ａ  結合端
２１２    係合端
２１２Ａ  係合端
４０      テープユニット
４０Ａ    テープユニット
４１      本体
４２      転写ヘッド
４３      リール部材
４３１    テープリール
４３２    回収リール
４４      テープ
５０      転写器ケース
７０      テープユニット
７１      本体
７２      転写ヘッド
７３      リール部材
７３１    テープリール
７３２    回収リール
７４      テープ
８０      固定板紙
【図１】
2013166372.tif 000003
【図２】
2013166372.tif 000004
【図３】
2013166372.tif 000005
【図４】
2013166372.tif 000006
【図５】
2013166372.tif 000007
【図６】
2013166372.tif 000008
【図７】
2013166372.tif 000009
【図８】
2013166372.tif 000010
【図９】
2013166372.tif 000011
【図１０】
2013166372.tif 000012
【図１１】
2013166372.tif 000013
【図１２】
2013166372.tif 000014
【図１３】
2013166372.tif 000015
【図１４】
2013166372.tif 000016
【図１５】
2013166372.tif 000017